(57)【要約】【課題】マスクを着用している際に、メガネを装用していても当該メガネの曇りを未然に防止できるようにしたメガネ曇り防止装置付きマスクを提供する。【解決手段】鼻と頬との間の窪みと、装用したマスク本体Ｐとの間に生じる隙間を閉塞した状態で顔にフィットできるよう略逆Ｕ字形の非通気性柔軟性部材の片面側に頬当面部２と中央の鼻当凹部３とを形成してなるメガネ曇り防止装置１を前記マスク本体Ｐ内の上側に備えてなる。また、メガネ曇り防止装置１を構成する非通気性柔軟性部材としては、シリコンラバーあるいは生ゴムのいずれかを使用する。【選択図】図１
2008229217.tif 000002
【特許請求の範囲】
【請求項１】
鼻と頬との間の窪みと、装用したマスク本体との間に生じる隙間を閉塞した状態で顔にフィットさせるよう略逆Ｕ字形の非通気性柔軟性部材の片面側に頬当面部と中央の鼻当凹部とを形成してなるメガネ曇り防止装置を前記マスク本体に備えてなることを特徴とするメガネ曇り防止装置付きマスク。
【請求項２】
メガネ曇り防止装置を構成する非通気性柔軟性部材としては、シリコンラバーあるいは生ゴムのいずれかを使用している請求項１記載のメガネ曇り防止装置付きマスク。
【請求項３】
メガネ曇り防止装置は、マスク本体と一体に形成されている請求項１または２記載のメガネ曇り防止装置付きマスク。
【請求項４】
メガネ曇り防止装置は、袋状部を有する既成のマスク本体の当該袋状部に着脱可能に取り付けられている請求項１乃至３記載のメガネ曇り防止装置付きマスク。
【発明の詳細な説明】
【技術分野】
【０００１】
本発明は、メガネを装用している状態でマスクを着用した際において、メガネの曇りを防止可能にしたメガネ曇り防止装置付きマスクに関する。
【背景技術】
【０００２】
従来、マスクを顔にぴったりとフィットさせ、口元とマスクの間に保湿のための空間を形成できるようにした三層構造の高密度不織布フィルターを備えたポリオレフィン・ポリエステル素材の超立体マスクや、マスクを袋状に形成し、この内部に高密度不織布フィルターを挿入してなる矩形平面状の積層形マスク等種々な形態や機能を備えたマスクが存在する。
【特許文献１】特になし
【発明の開示】
【発明が解決しようとする課題】
【０００３】
しかしながら、従来においては、鼻と頬との間の窪みと、装用したマスクとの間には、どうしても隙間が生じてしまうため、そこから息が漏れてメガネを曇らせてしまうという問題点を有していた。
【０００４】
そこで、本発明は、叙上のような従来存した諸事情に鑑み案出されたもので、マスクを着用している際に、メガネを装用していても当該メガネの曇りを未然に防止できるようにしたメガネ曇り防止装置付きマスクを提供することを目的とする。
【課題を解決するための手段】
【０００５】
上述した課題を解決するため、本発明にあっては、鼻と頬との間の窪みと、装用したマスク本体との間に生じる隙間を閉塞した状態で顔にフィットさせるよう略逆Ｕ字形の非通気性柔軟性部材の片面側に頬当面部と中央の鼻当凹部とを形成してなるメガネ曇り防止装置を前記マスク本体に備えてなることを特徴とする。
【０００６】
メガネ曇り防止装置を構成する非通気性柔軟性部材としては、シリコンラバーあるいは生ゴムのいずれかを使用している。
【０００７】
メガネ曇り防止装置は、マスク本体と一体に形成されている。
【０００８】
メガネ曇り防止装置は、袋状部を有する既成のマスク本体の当該袋状部に着脱可能に取り付けられている。
【発明の効果】
【０００９】
本発明によれば、マスクを着用している際に、メガネを装用していても当該メガネの曇りを未然に防止できる。すなわち、マスク本体に備えたメガネ曇り防止装置は、非通気性柔軟性部材の片面側における頬当面部と中央の鼻当凹部とにより、鼻と頬との間の窪みと、装用したマスク本体との間に生じる隙間を閉塞させて顔にフィットさせ、且つマスク本体内で非通気性柔軟性部材が略逆Ｕ字形に配されていることから、マスク本体内において口元または鼻から吐き出された息が上方に漏れず、このため、メガネの曇りを未然に防止することができる。これによって、特に、メガネ装用者がマスクを着用したまま新聞や本等を読むのに便利である。
【発明を実施するための最良の形態】
【００１０】
以下、図面を参照して本発明を実施するための最良の一形態を説明する。
本発明に係るメガネ曇り防止装置付きマスクは、図１に示すように、例えば積層構造の高密度不織布フィルター等によって矩形平面袋状に形成され、両側に耳掛プリーツＱを備えてなるマスク本体Ｐ内部の上方側に一体的に内挿された非通気性柔軟性部材によるメガネ曇り防止装置１を備えている。
【００１１】
尚、このマスク本体Ｐとしては、口元との間に保湿のための空間を形成できるようにした三層構造の高密度不織布フィルターを備えたポリオレフィン・ポリエステル素材の超立体マスクや、袋状の内部に高密度不織布フィルターを挿入してなる矩形平面状の積層形マスク等の他、種々な形態や機能を備えたマスクを採用することができることは勿論である。
【００１２】
メガネ曇り防止装置１は、図２に示すように、非通気性柔軟性部材として、帯板状に形成された例えばシリコンラバーあるいは生ゴムのいずれかを、下方に向けて開放されるように略逆Ｕ字形に折り曲げられた状態となって形成されており、その片面側は、頬当面部２となっている。
【００１３】
また、頬当面部２の中央は、凹状に切欠することで鼻の甲が嵌り込むための鼻当凹部３となっている。もとよりこのメガネ曇り防止装置１自体は柔軟性があるため、鼻当凹部３両側の頬当面部２が頬に当てがわれるとこの頬の曲面に沿って湾曲しながら隙間無くフィットされるものである。
【００１４】
次に、以上のように構成された最良の形態についての使用の一例について説明する。
図３に示すように、メガネＭを装用しながらマスク本体Ｐを使用した場合、マスク本体Ｐ内上側に内挿されているメガネ曇り防止装置１は、この頬当面部２と中央の鼻当凹部３とにより、鼻と頬との間の窪みと、装用したマスク本体Ｐとの間に生じる隙間が閉塞された状態となって顔にフィットする。
【００１５】
このとき、マスク本体Ｐ内で非通気性柔軟性部材によるメガネ曇り防止装置１が略逆Ｕ字形に配されていることから、マスク本体Ｐ内において口元または鼻から吐き出された息がマスク本体Ｐ上側から漏れずに遮断されるため、メガネＭの息による曇りを未然に防止することができるのである。
【００１６】
図４は、メガネ曇り防止装置１の他の使用例を示すもので、本例では、メガネ曇り防止装置１は、袋状に形成された既成のマスク本体Ｐに着脱可能に取り付けられている。
【００１７】
すなわち、例えば高密度不織布フィルター等が挿入される下部開口４となった矩形平面袋状の既成のマスク本体Ｐの下部開口４側から上記構成によるメガネ曇り防止装置１を挿入し、マスク本体Ｐ内部の上端側位置までこのメガネ曇り防止装置１を移動させてから、マスク本体Ｐを使用する。
【００１８】
また、幾度かの使用によりマスク本体Ｐが汚れたら、使用済みの汚れたマスク本体Ｐ内から下部開口４を介してメガネ曇り防止装置１を取り外し、新しいマスク本体Ｐに再度装着して使用すれば良い。
【図面の簡単な説明】
【００１９】
【図１】本発明を実施するための最良の形態におけるメガネ曇り防止装置付きマスクの概略を示す斜視図である。
【図２】同じくメガネ曇り防止装置の一例を示す斜視図である。
【図３】同じくメガネ曇り防止装置付きマスクの使用状態を示す説明図である。
【図４】同じくメガネ曇り防止装置の他の使用例を示す斜視図である。
【符号の説明】
【００２０】
Ｐ  マスク本体
Ｑ  耳掛プリーツ
１  メガネ曇り防止装置
２  頬当面部
３  鼻当凹部
４  下部開口
【図１】
2008229217.tif 000003
【図２】
2008229217.tif 000004
【図３】
2008229217.tif 000005
【図４】
2008229217.tif 000006